(57)【要約】 【課題】光学ズームの変更時の画質を向上させる撮像装置及び制御方法を提供する。【解決手段】撮像装置は、被写体を撮像する撮像手段と、前記撮像手段へ光を導くレンズユニットの焦点距離に関する情報を取得する取得手段と、前記撮像手段へ入射する光量を調節する絞りを制御する制御手段と、前記撮像手段により撮像して得られた画像データから所定の画像特徴に関する特徴量を検出する検出手段と、を有し、前記制御手段は、前記検出手段により検出された特徴量と前記取得手段により取得された前記焦点距離に関する情報とに基づいて、絞り制御に用いる前記絞りの最大開口量を決定する。【選択図】  図５
2014003401.tif 000002
【特許請求の範囲】
【請求項１】
被写体を撮像する撮像手段と、
前記撮像手段へ光を導くレンズユニットの焦点距離に関する情報を取得する取得手段と、
前記撮像手段へ入射する光量を調節する絞りを制御する制御手段と、
前記撮像手段により撮像して得られた画像データから所定の画像特徴に関する特徴量を検出する検出手段と、を有し、
前記制御手段は、前記検出手段により検出された特徴量と前記取得手段により取得された前記焦点距離に関する情報とに基づいて、絞り制御に用いる前記絞りの最大開口量を決定することを特徴とする撮像装置。
【請求項２】
前記検出手段は、前記画像データに基づいて被写体の動き量を検出し、
前記制御手段は、前記検出手段により検出された被写体の動き量に関する情報と前記焦点距離に関する情報とに基づいて前記最大開口量を決定することを特徴とする請求項１に記載の撮像装置。
【請求項３】
前記制御手段は、前記動き量が大きいほど前記最大開口量を大きくすることを特徴とする請求項２に記載の撮像装置。
【請求項４】
前記制御手段は、前記動き量が小さいほど光学特性の向上を優先するように、前記動き量が大きいほどＳ／Ｎの向上を優先するように前記最大開口量を決定することを特徴とする請求項２又は３に記載の撮像装置。
【請求項５】
前記検出手段は、前記画像データに基づいて被写体の周波数特性を検出し、
前記制御手段は、前記検出手段により検出された被写体の周波数特性に関する情報と前記焦点距離に関する情報とに基づいて前記最大開口量を決定することを特徴とする請求項１乃至３のいずれか１項に記載の撮像装置。
【請求項６】
前記制御手段は、前記周波数特性において高周波成分が少ないほど前記最大開口量を大きくすることを特徴とする請求項５に記載の撮像装置。
【請求項７】
前記制御手段は、前記周波数特性において高周波成分が多いほど光学特性の向上を優先するように、前記高周波成分が少ないほどＳ／Ｎの向上を優先するように前記最大開口量を決定することを特徴とする請求項５または６に記載の撮像装置。
【請求項８】
前記光学特性は、フレア、ＭＴＦ、周辺光量落ち、色収差、球面収差、コマ収差、非点収差、湾曲収差、歪曲収差のうち少なくとも一つを含む、ことを特徴とする請求項４または７に記載の撮像装置。
【請求項９】
撮影環境の明るさに応じて前記撮像手段のゲインを制御するゲイン制御手段を更に備え、
前記制御手段は、前記ゲイン制御手段により設定されたゲイン値が所定の閾値以上の場合には前記特徴量に関わらず入射光量に関する情報と前記焦点距離に関する情報とに基づいて前記最大開口量を決定し、前記ゲイン値が前記閾値より小さい場合には前記特徴量と前記焦点距離に関する情報とに基づいて、前記最大開口量を決定することを特徴とする請求項１乃至８のいずれか１項に記載の撮像装置。
【請求項１０】
被写体を撮像する撮像手段、前記撮像手段へ光を導くレンズユニットの焦点距離に関する情報を取得する取得手段と、前記撮像手段へ入射する光量を調節する絞りを制御する制御手段と、前記撮像手段により撮像して得られた画像データから所定の画像特徴に関する特徴量を検出する検出手段と、を備える撮像装置の制御方法であって、
前記制御手段が、前記検出手段により検出された特徴量と前記取得手段により取得された前記焦点距離に関する情報とに基づいて、絞り制御に用いる前記絞りの最大開口量を決定する工程を有することを特徴とする撮像装置の制御方法。
【請求項１１】
請求項１０に記載の撮像装置の制御方法の各工程をコンピュータに実行させるためのプログラム。
【発明の詳細な説明】
【技術分野】
【０００１】
本発明は、撮像装置及びその制御方法に関する。
【背景技術】
【０００２】
一般に、撮像素子とレンズの間の焦点距離を変化させることによって広角側（Ｗ端）から望遠側（Ｔ端）の間で画角（倍率）を変化させる光学ズーム機能を備えた撮像装置が実用化されている。このような光学ズーム機能において、Ｗ端からＴ端方向にズーム制御が行われると、主被写体以外からの入射光の影響を多く受けるようになり、レンズ内部で光の反射が発生する。このようなレンズ内部での光の反射が顕著に生じると、暗部の階調が失われてしまい、黒い部分が白浮きして見える、所謂、「フレア現象」により画質の劣化（解像感の低下）が発生する。
【０００３】
そのような課題を解決するため、特許文献１では、余分な入射光を防ぐために、ズームの焦点距離に応じて絞りに制限を設けることで、フレア現象を低減することが提案されている。特許文献１によれば、例えば図３（ａ）に示すように、各焦点距離ごとに開放側の絞り値を制限して、絞りにより入射光を減少させる。
【０００４】
近年のビデオカメラでは、レンズの高倍率化、撮像装置の小型化、コストダウン、を行う傾向にあり、上記の現象が発生し易い構造にせざるを得ない。そのため、上記の手法を用いることを前提にレンズ設計が行われている。また今後も、この傾向は大きくなることが予想され、上記の手法はより重要性を増すと考えられる。
【先行技術文献】
【特許文献】
【０００５】
【特許文献１】特開平８−２５６２８８号公報
【発明の概要】
【発明が解決しようとする課題】
【０００６】
しかしながら、撮影条件によっては、絞りを絞ることでフレア現象の低減を優先することのメリットよりも絞りを絞らないことのメリットが大きい場合がある。例えば、被写体の動きが少ない場合や、画面内に高周波成分が多い場合は、絞りを絞ることでフレア現象の低減を優先することはメリットが大きい。一方、例えば、被写体の動きが多い場合や画面内に低周波成分が多い場合、解像感向上の効果よりもＳ／Ｎ低下による画質劣化の方が支配的になってしまう。図３（ｂ）の破線で示すように、レンズのＦドロップ（望遠側でレンズの開放Ｆ値が低下すること）によるＦ値の変化（実線で示している）以上に絞りを絞る必要があるため、この差分だけ画像が暗くなってしまう。このため、画像を明るくするためのゲインアップに伴うＳ／Ｎ低下による画質劣化が支配的になるという上記現象が発生してしまう。
【０００７】
本発明は上記の課題に鑑みてなされたものであり、光学ズームの変更時の画質を向上させる撮像装置及び制御方法を提供することを目的とする。
【課題を解決するための手段】
【０００８】
上記の課題を解決するための本発明の一態様による撮像装置は以下の構成を備える。すなわち、
被写体を撮像する撮像手段と、
前記撮像手段へ光を導くレンズユニットの焦点距離に関する情報を取得する取得手段と、
前記撮像手段へ入射する光量を調節する絞りを制御する制御手段と、
前記撮像手段により撮像して得られた画像データから所定の画像特徴に関する特徴量を検出する検出手段と、を有し、
前記制御手段は、前記検出手段により検出された特徴量と前記取得手段により取得された前記焦点距離に関する情報とに基づいて、絞り制御に用いる前記絞りの最大開口量を決定する。
【発明の効果】
【０００９】
本発明によれば、光学ズームの変更時の画質を向上させることができる。
【図面の簡単な説明】
【００１０】
【図１】第一実施形態による撮像装置の構成例を示すブロック図。
【図２】第一実施形態による撮像装置の概観を示す斜視図。
【図３】撮像装置の各焦点距離に対する絞り制御値を示す図。
【図４】第一実施形態による撮像装置の被写体の動き量と焦点距離に対する絞り制御値を示す図。
【図５】第一実施形態の露出制御を示すフローチャート。
【図６】第二実施形態の露出制御を示すフローチャート。
【発明を実施するための形態】
【００１１】
以下、添付の図面を参照して本発明の好適な実施形態を説明する。
【００１２】
［第一実施形態］
図１は、第一実施形態に関わる撮像装置の構成例を示すブロック図である。図１において、レンズ１０１と、レンズ１０１の後方に配置されている絞り１０２を介した光は、撮像部１０５の結像面上に被写体像として結像される。結像面上に結像された被写体像は、撮像部１０５において光信号から画像信号に変換される。撮像部１０５により得られた画像信号は、マイクロコンピュータ１１０に送られる。マイクロコンピュータ１１０において、画像信号はホワイトバランス補正処理、ガンマ処理、色変換処理などの信号処理を施される。絞り制御部１０４は、マイクロコンピュータ１１０の制御下で、撮像部１０５による撮像時における、絞り１０２の開口量（絞り量）を制御する。ズーム制御部１０３は、マイクロコンピュータ１１０の制御下で、レンズ１０１の焦点距離を調節して撮像部１０５による撮像の倍率（光学ズームのズーム倍率）を変更する。
【００１３】
また、マイクロコンピュータ１１０は、動き検出部１０７から取得される被写体の動き量に関する情報、周波数特性検出部１０８から取得される被写体の周波数特性に関する情報、レンズ１０１の焦点距離に関する情報に基づき絞り制御に用いる制限Ｆ値を算出する。ここで、制限Ｆ値とは、許容される最小の（開放側の）Ｆ値であり、絞り制御に用いる絞り１０２の最大開口量を表す。さらに、マイクロコンピュータ１１０は、撮像部１０５で撮像して得られた画像信号（以下、画像データとも呼ぶ）から求められる被写体の輝度情報と制限Ｆ値とに基づいて、絞り制御部１０４を通じて絞り１０２の制御を行う。また、マイクロコンピュータ１１０は、撮像部１０５のシャッタースピード（電荷蓄積時間）の制御を行う。このように、マイクロコンピュータ１１０は、絞り１０２による絞り量の調整やシャッタースピードの制御を行なうことにより露出制御を行う。マイクロコンピュータ１１０における、露出制御のための絞り制御については、後で詳しく述べる。さらに、マイクロコンピュータ１１０は、撮像部１０５における信号電荷の蓄積、読み出しなどの制御を行う。また、マイクロコンピュータ１１０は、ズーム制御部１０３を通じて、レンズ１０１の焦点距離の制御（光学ズーム制御）を行う。
【００１４】
図２は、本実施形態による撮像装置の概観を示す斜視図である。１２０は撮像装置本体である。１２１はレンズ部であり、上述したレンズ１０１やフォーカス駆動のための機構を備える。１２２はマイクであり、撮影時の音声を記録するために備えられている。１２３は電子式ビューファインダ（ＥＶＦ）であり、覗き込むことにより撮影時に被写体を狙ったり確認したりするために備えられている。
【００１５】
１２４は動画用トリガースイッチである。動画用トリガースイッチ１２４はプッシュボタンであり、動画撮影開始および終了を機器に伝達するために使用者が操作するスイッチである。１２５は静止画用トリガースイッチである。静止画用トリガースイッチ１２５はプッシュボタンであり、静止画撮影開始および終了を機器に伝達するために使用者が操作するスイッチである。
【００１６】
１２６はモードダイヤルであり、回転式のスイッチからなる。モードダイヤル１２６では、例えば再生モードに設定する“再生”、カメラモードに設定する“カメラ”およびそのいずれでもない“ＯＦＦ”のいずれかを選択できる。１２７は操作スイッチ群であり、使用者が本体を操作するためのキー、画質フィルタモードを入力するためのキーや、その他のメニュー操作や再生系の操作などのためのキーが配置されている。また、操作スイッチ群１２７は、レンズ１０１の焦点距離を変更するための操作部も含んでいる。
【００１７】
１２８は液晶パネルなどからなる表示部であり、本体側面に開閉自在となるように取り付けられている。表示部１２８は、ＥＶＦ１２３と同様に、カメラ撮影時には被写体像の確認、再生時には再生画像の表示に主に使用される。表示部１２８は、撮像装置本体１２０から開いている状態で、さらに水平方向にも回転可能になっている。１２９はスピーカであり、画像を再生するときに音声を出力するために設けられている。１３０はバッテリであり、撮像装置本体１２０と着脱可能になっている。
【００１８】
次に、本実施形態の撮像装置におけるマイクロコンピュータ１１０における、露出制御のための絞り制御について、図５のフローチャートを参照しながら説明する。本実施形態では、マイクロコンピュータ１１０が、撮像部１０５により撮像して得られた画像データから検出された所定の画像特徴に関する特徴量と、ズーム制御部１０３により制御された焦点距離に関する情報とに基づいて絞り制御に用いる制限Ｆ値を決定する。なお、撮像部１０５により得られた画像から検出される所定の画像特徴の特徴量として、本実施形態では、動き量と周波数特性を用いるが、これに限られるものではない。例えば、画像中のエッジ量などを検出して制限Ｆ値の算出に利用するようにしてもよい。また、後述するように、動き量と周波数特性のいずれか一方を用いてもよいし、両方を用いてもよい。
【００１９】
図５は、本実施例の露出制御のための絞り制御を示すフローチャートである。電源が投入されると（Ｓ１０１）、マイクロコンピュータ１１０は、レンズ１０１の駆動量に基づいて光学ズームの状態を判定し、焦点距離に関する情報（焦点距離情報）を取得する（Ｓ１０３）。つづいて、マイクロコンピュータ１１０は、動き検出部１０７から被写体の動き量を検出する（Ｓ１０５）。さらに、マイクロコンピュータ１１０は、周波数特性検出部１０８から被写体の周波数特性を検出する（Ｓ１０７）。被写体の動き量の検出や周波数特性の検出には、周知の方法を適用することができる。つづいて、マイクロコンピュータ１１０は、取得した被写体の動き量に関する情報、および、被写体の周波数特性に関する情報、および、レンズ１０１の焦点距離に関する情報に基づいて、絞り制御に用いる制限Ｆ値を算出する（Ｓ１０９）。制限Ｆ値の算出処理については、後で詳しく述べる。
【００２０】
次に、マイクロコンピュータ１１０は、算出した制限Ｆ値と現在のＦ値とを比較する（Ｓ１１０）。現在のＦ値が制限Ｆ値よりも大きい場合には、マイクロコンピュータ１１０は、現在のＦ値を制限Ｆ値に更新する（Ｓ１１２）。一方、現在のＦ値が制限Ｆ値以下の場合には、マイクロコンピュータ１１０は、現在のＦ値を更新せずにそのまま使用する。つづいて、現在のＦ値に基づき、マイクロコンピュータ１１０は、絞り制御部１０４を通じて、絞り１０２の制御を行う（Ｓ１１４）。
【００２１】
以上の処理を行った後、マイクロコンピュータ１１０は、撮影が継続されているかどうかを判定する（Ｓ１１６）。すなわち、マイクロコンピュータ１１０は、撮影の終了が指示されるまで、あるいは、電源が切断されて制御が終了するまで、焦点距離取得（Ｓ１０３）からの処理を繰り返す。撮影の終了が指示された場合、あるいは、電源が切断されると、本処理を終了する（Ｓ１１８）。
【００２２】
次に、絞り制御における制限Ｆ値の算出処理について図４のグラフを参照しながら説明する。図４は、被写体の動き量と焦点距離に対する絞り制御値を示すグラフである。動き量Ａおよび動き量Ｂは、あらかじめ設定されている所定の動き量であり、動き量の値としては、
動き量Ａ＜動き量Ｂ
である。また、１４１は、動き量Ａに対応する開放Ｆ値曲線であり、１４３は、動き量Ｂに対応する開放Ｆ値曲線である。
【００２３】
マイクロコンピュータ１１０は、Ｓ１０３で取得したレンズ１０１の焦点距離から、動き量Ａおよび動き量Ｂに対応する制限Ｆ値をそれぞれ取得する。そして、Ｓ１０９では、マイクロコンピュータ１１０は、Ｓ１０５で取得された現在の動き量から、設定すべき制限Ｆ値を補間処理により算出する。例えば、現在の焦点距離に対応する動き量Ａの制限Ｆ値をＦａ、現在の焦点距離に対応する動き量Ｂの制限Ｆ値をＦｂ、Ｓ１０５で取得された動き量を動き量Ｃとすると、設定すべき制限Ｆ値であるＦｃは、たとえば、
Ｆｃ＝Ｆａ×(Ｂ−Ｃ)／(Ｂ−Ａ)＋Ｆｂ×(Ｃ−Ａ)／(Ｂ−Ａ)    （Ａ≦Ｃ≦Ｂ）
Ｆｃ＝Ｆａ    （Ｃ＜Ａ）
Ｆｃ＝Ｆｂ    （Ｃ＞Ｂ）
により算出される。なお、動き量Ａと動き量Ｂに関する制限Ｆ値と焦点距離との関係は予め不図示のメモリに保持されており、Ｓ１０３で取得した焦点距離と任意の動き量に関して、上記の式を用いて演算を行うことで、制限Ｆ値が決定される。
【００２４】
このような焦点距離に対する制限Ｆ値の制御によれば、動き量が少ない場合に比べて、動き量が多い場合の方がより開放Ｆ値側に制限Ｆ値が算出される。以上は、Ｓ１０５で取得された動き量を用いた制限Ｆ値の算出であるが、Ｓ１０７で取得された周波数特性を用いた制限Ｆ値の算出も同様に行うことができる。なお、周波数特性を用いた場合、焦点距離に対する制限Ｆ値は、高周波成分が多い場合に比べ、少ない場合の方がより開放Ｆ値側に算出されるようにする。また、動き量と周波数特性の両方を用いて得られた２つの制限Ｆ値が異なる場合は、たとえば、値の小さい方または大きい方の制限Ｆ値を採用する、あるいは、両者から得られた制限Ｆ値の平均値を用いる、などにより一つの制限Ｆ値を決定すればよい。もちろん、動き量のみを用いてもよいし、周波数特性のみを用いてもよい。
【００２５】
なお、上記実施形態では、２つの特徴量（例えば動き量Ａ、動き量Ｂ）に対する制限Ｆ値データを下限、上限とし、補間処理により現在の動き量に対応する制限Ｆ値を算出しているがこれに限られるものではない。たとえば、３つ以上の特徴量に対する制限Ｆ値データを用いて補間演算を行なうようにしてもよい。あるいは、所定の画像特徴に関する各特徴量について焦点距離と制限Ｆ値の関係が記述されたデータテーブルを保持し、検出された特徴量と現在の焦点距離とに対応する制限Ｆ値を、データテーブルを参照して決定するようにしてもよい。例えば、焦点距離と動き量ごとにあるいは、焦点距離と周波数特性ごとに、データテーブルを持つようにしても構わない。
【００２６】
以上説明したように、第一実施形態によれば、撮像装置の露出制御において、被写体の動き量および／または周波数特性に応じて、焦点距離に対する絞りの開口径制御量が変更される。たとえば、動き量の小さい場合は光学特性向上を優先するように（たとえば、画像のフレア現象の低減を優先するように）、動き量の大きい場合はＳ／Ｎの向上を優先するように、制限Ｆ値が設定される。また、高周波成分が多い場合は画像の光学特性向上を優先するように（たとえば、画像のフレア現象の低減を優先するように）、高周波成分が少ない場合はＳ／Ｎの向上を優先するように、制限Ｆ値が設定される。そのため、解像感とＳ／Ｎの両立を実現し、光学ズーム時の撮影画質を向上させることができる。すなわち、第一実施形態によれば、撮像装置の露出制御において、被写体の動き量および／または周波数特性に応じて、焦点距離に対する絞りの開口径制御量を変更することで、解像感とＳ／Ｎの両立を実現し、光学ズーム時の撮影画質を向上させることができる。なお、上記の光学特性は、フレア現象のほかに、ＭＴＦ、周辺光量落ち、色収差、球面収差、コマ収差、非点収差、湾曲収差、歪曲収差の少なくともいずれかとすることができる。
【００２７】
なお、上記の実施形態において、特に、被写体の動き量に応じて焦点距離に対する絞りの開口径制御量を変更する場合、被写体の動きに対する応答性が高いと絞りの開口径制御量の変更が頻繁に行われることが想定される。撮影期間中において被写体の動き量が略一定であるシーンはまれであり、撮影期間中に被写体の動き量が頻繁に増減するシーンのほうが多いと考えられる。そこで、焦点距離に変化がない間は、撮影開始時に被写体の動き量に応じて焦点距離に対する絞りの開口径制御量を設定し、開口径制御量設定時からの動き量の変化が所定量以上となった場合に絞りの開口径制御量を再設定するようにすればよい。あるいは、開口径制御量設定時からの動き量の変化が所定量以上となり、かつ、開口径制御量設定時からの動き量の変化が所定量以上の時間が所定時間以上経過した場合に被写体の動き量に応じて焦点距離に対する絞りの開口径制御量を再設定するようにすればよい。このようにすれば、被写体の動きに応じて絞りの開口径制御量の変更が頻繁に行われることを防止することができる。
【００２８】
［第二実施形態］
第一実施形態では、画像の照度（明るさ）に関わらず、動き量や周波数特性に応じて制限Ｆ値の算出を行う構成を示した。第二実施形態では、画像の照度（明るさ）に応じて制限Ｆ値の算出方法を切り替える。以下、第二実施形態の撮像装置におけるマイクロコンピュータ１１０における、露出制御のための絞り制御について、図６のフローチャートを参照しながら説明する。
【００２９】
図６は、第二実施形態の撮像装置による露出制御のための絞り制御を示すフローチャートである。電源が投入されると（Ｓ２０１）、マイクロコンピュータ１１０は、焦点距離に関する情報（焦点距離情報）を取得する（Ｓ２０３）。撮像部１０５では、不図示の自動利得制御部（ＡＧＣ）がゲイン制御を実行し、撮影環境（例えば、被写体の明るさ）に応じて撮像素子から取得される画像信号の増幅度（ゲイン値）を調整、決定する。マイクロコンピュータ１１０は、ＡＧＣが設定したゲイン値をあらかじめ設定されている所定の閾値ＴＨと比較する（Ｓ２０４）。ゲイン値が所定の閾値ＴＨ以上の場合には、マイクロコンピュータ１１０は撮像部１０５で撮像して得られた画像データから入射光量に関する情報を取得し、取得した入射光量に関する情報に基づいて、制御Ｆ値の算出を行う（Ｓ２０８）。その後、処理はＳ２１４へ進む。
【００３０】
一方、ゲイン値が所定の閾値ＴＨよりも小さい場合には、マイクロコンピュータ１１０は、動き検出部１０７から被写体の動き量を検出する（Ｓ２０５）。さらに、マイクロコンピュータ１１０は、周波数特性検出部１０８から被写体の周波数特性を検出する（Ｓ２０７）。つづいて、マイクロコンピュータ１１０は、取得した被写体の動き量に関する情報、および、被写体の周波数特性に関する情報、および、光学ズームの焦点距離に関する情報に基づいて、絞り制御に用いる制限Ｆ値を算出する（Ｓ２０９）。制限Ｆ値の算出処理については、第一実施形態で詳しく述べた通りである。
【００３１】
次に、マイクロコンピュータ１１０は、Ｓ２０９で算出した制限Ｆ値と現在のＦ値とを比較する（Ｓ２１０）。現在のＦ値が制限Ｆ値よりも大きい場合には、マイクロコンピュータ１１０は、現在のＦ値を制限Ｆ値に更新する（Ｓ２１２）。一方、現在のＦ値が制限Ｆ値以下の場合には、マイクロコンピュータ１１０は、現在のＦ値を更新せずにそのまま使用する。以上のように算出された制御Ｆ値に基づき、マイクロコンピュータ１１０は、絞り制御部１０４を通じて、絞り１０２の制御を行う（Ｓ２１４）。
【００３２】
以上の処理を行った後、マイクロコンピュータ１１０は、撮影が継続されているかどうかを判定する（Ｓ２１６）。すなわち、マイクロコンピュータ１１０は、撮影の終了が指示されるまで、あるいは、電源が切断されて制御が終了するまで、焦点距離取得（Ｓ２０３）からの処理を繰り返す。撮影の終了が指示された場合、あるいは、電源が切断されると、本処理を終了する（Ｓ２１８）。
【００３３】
以上述べたように、第二実施形態によれば、ゲイン値があらかじめ設定されている所定の閾値以上の場合には入射光量に応じた絞り制御を優先し、ゲイン値が閾値より小さい場合には被写体の動き量／周波数特性の少なくともいずれかに応じた絞り制御を優先する。換言すれば、撮像装置の露出制御において、十分な照度と低照度とを区別する照度の閾値を設け、低照度時（ゲイン値が閾値以上の場合）は入射光量に応じた絞り制御を優先する。また、逆に照度が十分な時（ゲイン値が閾値より小さい場合）は被写体の動き量および周波数特性に応じた絞り制御を優先する。このような制御によれば、被写体の明るさ、動き量、および、周波数特性に応じて、焦点距離に対する絞りの開口径制御量を変更することができ、解像感とＳ／Ｎの両立を実現し、光学ズーム時の撮影画質を向上させることができる。
【００３４】
なお、上記の２つの実施形態では、撮像装置本体１２０とレンズ部１２１が一体の撮像装置の例を説明したが、レンズ部１２１が撮像装置本体１２０に着脱可能な撮像装置であっても適用できる。すなわち、レンズ１０１や絞り１０２などを含むレンズユニットが着脱可能な撮像装置であっても適用できる。その場合、ズーム制御部１０３や絞り制御部１０４が実行する処理の少なくとも一部を、レンズユニットが有するレンズ制御部が実行すればよい。
【００３５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014003401.tif 000003
【図２】
2014003401.tif 000004
【図３】
2014003401.tif 000005
【図４】
2014003401.tif 000006
【図５】
2014003401.tif 000007
【図６】
2014003401.tif 000008